(57)【特許請求の範囲】
【請求項１】
シート材を様々にトリミングするためのトリミング装置であって、
前記シート材を載置するためのベースと、
前記ベース上に取り付けられたレールと、
前記シート材を完全に裁断する鋭利ブレードと、
前記シート材に断続的なカットラインを与える歯車形ブレードと、
前記シート材をカットせずに折り畳みラインを与える非鋭利ブレードと、
移動可能に前記レールと係合するキャリッジであって、前記３つのブレードの中の選択された一つを前記シート材の上を横断するように移動させるキャリッジと
を備えたことを特徴とするトリミング装置。
【請求項２】
前記キャリッジは、
前記３つのブレードに夫々対応する複数の支持部材を内部に有するトップカバーと、
前記トップカバーとともに前記容器部分を構成するハウジングであって、前記支持部材の中の対応する一つの支持力によって前記３つのブレードの中の選択された一つを突出させるための開口が各々設けられた、前記３つのブレードを夫々収納するための複数の溝を有する、ハウジングとを備えたことを特徴とする請求項１に記載のトリミング装置。
【請求項３】
前記キャリッジは、前記選択されたブレードに前記支持力を与えるために、前記支持部材の中の前記対応する一つを前記ブレードの中の前記選択された一つに合わせるように前記ハウジングに対して前記トップカバーを回転させることによって、操作されることを特徴とする請求項２に記載のトリミング装置。
【請求項４】
前記キャリッジはさらに、
前記ハウジングの前記溝に夫々設置され、前記支持力を受けることによって随意に下方に移動し、前記開口の中の対応する一つから前記選択されたブレードを露出させる、前記３つのブレードを保持するための３つの保持部材と、
前記支持力を受けていない前記保持部材及び前記ブレードを前記容器部分に引き戻すための弾性力を与えるために、前記溝内において前記保持部材と前記開口との間に夫々配置された３つの弾性部材とを備えたことを特徴とする請求項３に記載のトリミング装置。
【請求項５】
前記支持部材は、
前記キャリッジの第１の側に設けられ、ある特定の方向において第１のピーク部で終わる上り傾斜部を有する第１の支持部材と、
前記第１の側と反対の第２の側に設けられ、前記特定の方向において第２のピーク部から始まる下り傾斜部を有する第２の支持部材と、
前記第１及び第２の側の間に対称に設けられ、中間ピーク部と２つの側方傾斜部とを各々有する一対の支持ブロックから成る、第３の支持部材とを含み、
前記第１の支持部材の前記第１のピーク部、前記第２の支持部材の前記第２のピーク部、及び前記第３の支持部材の前記ピーク部は、前記トップカバーを回転させる間に、夫々異なる時点で各保持部材を支持し、それにより、基本的に一時点では前記３つのブレードの中の一つを前記開口の中の前記対応する一つから押し出すように配置されることを特徴とする請求項４に記載のトリミング装置。
【請求項６】
前記鋭利ブレードは、前記シート材を横切って移動する間に前記シート材に完全なカットラインを与えるようにトリミングするための、鋭利部分を有するブレードであり、
前記歯車形ブレードは、前記シート材を横切って転がる間に前記シート材に断続的なカットラインを与えるようにトリミングするための、鋭利な歯が等間隔に設けられた歯車形ブレードであり、
前記非鋭利ブレードは、前記シート材を横切って移動する間に前記シート材に折り畳みラインを与えるようにトリミングするための、非鋭利部分を有するブレードであることを特徴とする請求項５に記載のトリミング装置。
【請求項７】
前記トップカバー及び前記ハウジングはいずれも円形状であり、前記溝は前記ハウジングの直径に沿って並んでいることを特徴とする請求項６に記載のトリミング装置。
【請求項８】
前記特定の方向は時計方向又は反時計方向であることを特徴とする請求項７に記載のトリミング装置。
【発明の詳細な説明】
【技術分野】
【０００１】
本発明はトリミング装置に関するものであり、特に、紙すなわちシート材に、完全又は断続的なカットライン、又は折り畳みラインを随意に与え、その結果、当該紙すなわちシート材を分割したり、カットラインに沿って容易に切り取ったり折り畳んだりできるようにする、多機能型のトリミング装置に関する。
【背景技術】
【０００２】
周知の如く、ペーパカッタは、効率良く紙をカットして小さな紙片にするためのトリミング装置である。図１は、従来のペーパカッタの外観を示す概略図である。ペーパカッタ１は、ベース１１、スライドレール１２、及びスライド式ブレードホルダ１３を備えている。ベース１１は、カットされる紙を載置するのに使用される。スライドレール１２は、ベース１１上に固定され、スライド式ブレードホルダ１３がスライド移動するためのガイドスリット１１１が設けられている。スライドレール１２とベース１１との間のギャップ１４に紙（図示せず）を差し込むと、ユーザは、スライド式ホルダ１３のブレード（図示せず）が紙に当接した状態を維持するため、スライドレールを押え付ける。ガイドスリット１１１に沿ってスライド式ホルダ１３をスライドさせると、紙は２片にカットされる。
【０００３】
上記のペーパカッタは、紙を完全に分割する目的に限定して使用されるものである。紙を断続的にカットし、後に手で容易に切り取れるようにしたり、紙に折り畳みラインを付け、手で容易に折り畳めるようにしたい場合には、その特定の要求に合った別の種類のトリマが必要になる。従って、費用及びスペースの点で非効率である。
【０００４】
そこで、本発明は、先行技術が直面する上述の現況に対処する多機能トリミング装置を開発するためになされたものである。
【発明の開示】
【発明が解決しようとする課題】
【０００５】
本発明は、紙等の裁断可能なシート材を様々なトリミング方法で随意にトリミングするための多機能トリミング装置を提供することを目的とする。
【０００６】
また、本発明は、トリミング装置に使用されるブレードキャリッジを提供することを目的とする。ブレードキャリッジは、様々なトリミング機能を実行するためにトリミング装置に随意に設けられる種々のトリミングツールを内部に収納する。
【課題を解決するための手段】
【０００７】
本発明の一側面によると、シート材を様々にトリミングするためのトリミング装置が提供される。このトリミング装置は、シート材を載置するためのベースと、ベース上に取り付けられたレールと、シート材を第１の方法でトリミングするための第１のトリミング部材と、シート材を第２の方法でトリミングするための第２のトリミング部材と、移動可能にレールと係合し、第１及び第２のトリミング部材に夫々連結された第１及び第２の部分、及びレールに沿って移動するための原動力を受ける第３の部分を有し、それにより、第１及び第２のトリミング部材の中の選択された一つをシート材の上を横断するように移動させるキャリッジとを備えている。
【０００８】
シート材は、例えば、紙、布、又は金属箔等のその他の適切なシート材である。
【０００９】
一実施形態では、第１のトリミング部材は鋭利ブレードであって、第１の方法は完全なカッティングである。第２のトリミング部材は歯車形ブレードであって、第２の方法は断続的なカッティングである。
【００１０】
別の実施形態では、第１のトリミング部材は鋭利ブレードであって、第１の方法は完全なカッティングであり、第２のトリミング部材は非鋭利ブレードであって、第２の方法は折り畳みラインを付けることである。
【００１１】
トリミング装置は、キャリッジの移動に応じてシート材を第３の方法でトリミングするためにキャリッジの第４の部分に連結された、第３のトリミング部材をさらに備えることが好ましい。例えば、３つのトリミング部材は、鋭利ブレード、歯車形ブレード、及び非鋭利ブレードである。
【００１２】
本発明の別の側面によると、シート材を様々にトリミングするためのトリミング装置が提供される。このトリミング装置は、シート材を載置するためのベースと、ベースに取り付けられたレールと、容器部分を有し、シート材が所望の方法でカットされるように、移動可能にレールと係合するキャリッジと、キャリッジの容器部分内に設置され、キャリッジを操作することによってシート材と接触するように選択される、夫々異なるトリミング機能を有する複数のトリミング部材とを備える。
【００１３】
キャリッジは、複数のトリミング部材に夫々対応する複数の支持部材を内部に有するトップカバーと、トップカバーとともに容器部分を構成し、トリミング部材を夫々収納するための複数の溝を有するハウジングとを備えることが好ましい。各溝は、支持部材の中の対応する一つの支持力によってトリミング部材の中の選択された一つを突出させるための開口を有している。
【００１４】
一実施形態では、キャリッジは、選択されたトリミング部材に支持力を与えるために、支持部材の中の対応する一つをトリミング部材の中の選択された一つに合わせるようにハウジングに対してトップカバーを回転させることによって、操作される。
【００１５】
キャリッジはさらに、ハウジングの溝に夫々設置され、支持力を受けることによって随意に下方に移動し、開口の中の対応する一つから選択されたトリミング部材を露出させる、トリミング部材を保持するための複数の保持部材と、支持力を受けていない保持部材及びトリミング部材を容器部分に引き戻すための弾性力を与えるために、溝内において保持部材と開口との間に夫々配置された複数の弾性部材とを備えることが好ましい。
【００１６】
支持部材は、キャリッジの第１の側に設けられ、ある特定の方向において第１のピーク部で終わる上り傾斜部を有する第１の支持部材と、第１の側と反対の第２の側に設けられ、該特定の方向において第２のピーク部から始まる下り傾斜部を有する第２の支持部材と、第１及び第２の側の間に対称に設けられ、中間ピーク部と２つの側方傾斜部とを各々有する一対の支持ブロックから成る、第３の支持部材とを含むことが好ましい。第１の支持部材の第１のピーク部、第２の支持部材の第２のピーク部、及び第３の支持部材のピーク部は、トップカバーを回転させる間に、夫々異なる時点で各保持部材を支持し、それにより、基本的に一時点ではトリミング部材の中の一つを開口の中の対応する一つから押し出すように配置される。
【００１７】
トリミング部材は、シート材を横切って移動する間にシート材に完全なカットラインを与えるようにトリミングするための、鋭利部分を有する第１のブレードと、シート材を横切って転がる間にシート材に断続的なカットラインを与えるようにトリミングするための、鋭利な歯が等間隔に設けられた歯車形ブレードを有する第２のブレードと、シート材を横切って移動する間にシート材に折り畳みラインを与えるようにトリミングするための、非鋭利部分を有する第３のブレードとを含むことが好ましい。
【００１８】
トップカバー及びハウジングはいずれも円形状であり、溝はハウジングの直径に沿って並んでいることが好ましい。
【００１９】
特定の方向は、例えば、時計方向又は反時計方向である。
【００２０】
本発明のさらに別の側面によると、選択されたトリミング部材を、シート材上を横断してトリミングラインを与えるように移動させるために、トリミング装置に使用されるキャリッジが提供される。このキャリッジは、支持部材を内部に有するトップカバーと、第１及び第２のトリミング部材を保持するための少なくとも２つの保持部材を内部に収納するハウジングとを備え、第１及び第２のトリミング部材の中の一つが、支持部材によってハウジングから押し出され、所望のトリミング方法に合った選択されたトリミング部材として機能する。
【００２１】
第１のトリミング部材は、シート材に完全なカットラインを与えるようにトリミングするための鋭利ブレードであることが好ましい。第２のトリミング部材は、シート材に断続的なカットライン又は折り畳みラインを夫々与えるようにトリミングするための、歯車形ブレード又は非鋭利ブレードであることが好ましい。
【００２２】
一実施形態では、キャリッジは、第１及び第２のトリミング部材を夫々保持し、支持部材の支持力に応じて随意に下方に移動して選択されたトリミング部材を露出させる、第１及び第２の保持部材をさらに備えている。支持部材は、キャリッジの第１の側に設けられ、ある特定の方向において第１のピーク部で終わる上り傾斜部を有する第１の支持部材と、第１の側と反対の第２の側に設けられ、該特定の方向において第２のピーク部から始まる下り傾斜部を有する第２の支持部材とを含むことが好ましい。第１及び第２の保持部材は、ハウジングに対してトップカバーを回転させることにより、夫々異なる時点で第１及び第２のピーク部によって随意に外方に押される。
【発明を実施するための最良の形態】
【００２３】
以下、実施形態を挙げて本発明をより具体的に説明する。但し、以下に示す本発明の最良の実施形態の説明は、単に実例の提示及び説明を目的とするものであり、網羅的なものではなく、開示された厳密な形式に限定するものではない。
【００２４】
図２は、本発明の一実施形態によるペーパトリマの外観を示す概略図である。ペーパトリマ２は、ベース２１、レール２２、及び３つのトリミング部材（この図面では示されていない）を内部に収納する回転可能なキャリッジ２３を備えており、トリミング部材の中の選択された一つの部材のみをキャリッジ２３から露出させて作動させる。ベース２１は、トリミングする紙を載置するために使用される。レール２２はベース２１の上に取り付けられる。ベース２１とレール２２との間にはギャップ２４があり、そこから紙を差し入れて固定する。レール２２には、キャリッジ２３をスライド可能に嵌めるためのガイドスリット２１１が設けられている。キャリッジ２３がガイドスリット２１１内をスライド移動するとき、キャリッジと共に３つのトリミング部材が移動し、露出状態にあるトリミング部材が紙の上を横断して、所望の方法で紙をトリミングする。
【００２５】
図３は、図２に示されるキャリッジの上部の内部構造を示す概略図である。キャリッジ上部は本実施形態においてトップカバー２３１と呼ばれ、第１の支持部材２３１１、第２の支持部材２３１２、及びそれらの間に設けられた一対の支持ブロック２３１３を有している。図３に示されるように、トップカバー２３１の第１の側に配置された第１の支持部材２３１１は、反時計方向においてピーク部２３１１１で終わる上り傾斜部２３１１０を有し、第１の側と反対の第２の側に配置された第２の支持部材２３１２は、反時計方向においてピーク部２３１２１で始まる下り傾斜部２３１２０を有している。一対の支持ブロック２３１３は、トップカバー２３１の第１及び第２の側の間に対称に設けられている。各支持ブロック２３１３は、中間ピーク部２３１３０及び２つの側方傾斜部２３１３１を有している。
【００２６】
図４は、図２に示されるキャリッジの下部の内部を示す概略図である。本実施形態においてハウジング２３２と呼ばれるキャリッジ下部は、３つの溝２３２１、２３２２及び２３２３を備えており、各溝の底部には開口２３２４、２３２５及び２３２６が設けられている。溝２３２１、２３２２及び２３２３は、ハウジング２３２の直径に沿って並設されている。
【００２７】
図５−Ａから図５−Ｃは、３つのトリミング部材及びそれらに対応する保持部材を夫々例示する概略分解図である。図４のハウジング２３２は、図３のトップカバー２３１とともに、３組のトリミング部材、保持部材、及び弾性部材を収納するための容器２５を構成する。本実施形態においては、トリミング部材は、紙を完全に裁断するための鋭利ブレード２４１、紙に断続的なカットラインを与えるための歯車形ブレード２４２、及び紙をカットせずに折り畳みラインを与えるための非鋭利ブレード２４３を含む。これらのトリミング部材を保持するため、３つの保持部材２３３１、２３３２及び２３３３が夫々設けられている。保持部材２３３１、２３３２及び２３３３は、夫々異なるトリミング機能を有する個別のトリミング部材を保持するために使用される。図５−Ａに示されるように、鋭利ブレード２４１は、トリミングされる紙と接触する先端鋭利部分２４１０、及び保持部材２３３１のスリット２３３１０に挿入されて保持部材２３３１に保持される後部２４１１を有している。図５−Ｂに示されるように、歯車形ブレード２４２は、等間隔に配列され、トリミングされる紙と接触する歯状部２４２０、及び、保持部材２３３２の中間伝達部材２３３２１を介して保持部材２３３２のベースポスト２３３２２に回転可能に取り付けるための中央孔２４２１を備えている。図５−Ｃに示されるように、非鋭利ブレード２４３は、トリミングされる紙と接触し、保持部材２３３３と一体に形成された非鋭利部分２４３０を有している。
【００２８】
上記各部材の機能を、図６を参照して説明する。図６ではさらに、図５−Ａから図５−Ｃの３つの保持部材に夫々対応し、非選択のトリミング部材を随意に引込めるための３つの弾性部材が示されている。まず、弾性部材２３４１、２３４２及び２３４３がハウジング２３２の各溝２３２１、２３２２及び２３２３に設置される。保持部材２３３１、２３３２及び２３３３も、弾性部材２３４１、２３４２及び２３４３の上に、トリミング部材２４１、２４２及び２４３のブレード部分２４１０、２４２０及び２４３０を開口２３２４、２３２５及び２３２６に向けて、ハウジング２３２の溝２３２１、２３２２及び２３２３に夫々設置される。なお、夫々異なる保持部材を明確に区別するために、図６の保持部材及び弾性部材は実際に設置される向きで示されていないものもある。さらに、部材２３３２１及び２４２は図６には示されておらず、図５−Ｂを参照する必要がある。
【００２９】
トップカバー２３１をハウジング２３２に対して１サイクル回転させるとき、トップカバー２３１の第１及び第２の支持部材２３１１及び２３１２、及び一対の支持ブロック２３１３が、保持部材２３３１、２３３３及び２３３２を夫々異なる時点において支持し、それにより、一つの時点では、ブレード部分２４１０、２４２０及び２４３０の中の選択された一つのみを対応する開口２３２４、２３２５及び２３２６から外に押し出す。例えば、ユーザが紙を完全に裁断したいときは、トップカバー２３１を反時計方向に回転させ、保持部材２３３１が第１の支持部材２３１１の傾斜部２３１１０を上ってピーク部２３１１１に達するようにする。弾性部材２３４１が設けられているため、支持部材２３１１は保持部材２３３１に当接した状態を維持する。
【００３０】
保持部材２３３１が支持部材２３１１のピーク部２３１１１に達すると、保持部材２３３１に保持される鋭利ブレード２４１が開口２３２４から押し出される。このとき、非鋭利ブレード２４３を有する保持部材２３３３は回転されてピーク部２３１２１から傾斜部２３１２０を下り、よって、ブレード２４３は、弾性部材２３４３がもたらす弾性力により容器２５に引き戻され、開口２３２６から露出しない。
【００３１】
一方、各支持ブロック２３１３のピーク部２３１３０は、対応する保持部材２３３２に一時的に当接した後、側方傾斜部２３１３１によって該保持部材から離れる。従って、歯車形ブレード２４２は、弾性部材２３４２の引込み力により、最終的には開口２３２５から突出しない。
【００３２】
すなわち、単一のトリミング部材、つまり鋭利ブレード２４１のみが、キャリッジ２３の下部２３２から下方に突出し、ベース２１に載置された紙と接触する。その後、ガイドスリット２１１に沿ってキャリッジ２３をスライド移動させると、鋭利ブレード２４１が紙の上を横断するように移動し、紙を２片に裁断する。
【００３３】
同様に、折り畳みラインが必要な場合には、トップカバー２３１をハウジング２３２に対して時計方向に回転させることにより、非鋭利ブレード２４３を選択し、使用する。保持部材２３３３が傾斜部２３１２０に沿ってピーク部２３１２１に達すると、非鋭利ブレード２４３が開口２３２６から押し出され、作動ブレードとして機能する。従って、キャリッジ２３をガイドスリット２１１に沿って移動させれば、紙に所望の折り畳みラインを与えることができる。
【００３４】
さらに、ユーザが断続的なカットラインを紙に与えたい場合には、各支持ブロック２３１３のピーク部２３１３０が保持部材２３３２と真っ直ぐに並ぶまで、ハウジング２３２に対してトップカバー２３１を上述した第１の位置から時計方向に、又は第２の位置から反時計方向に回転させることにより、歯車形ブレード２４２を選択する。ピーク部２３１３０は、歯車形ブレード２４２の歯状部２４２０を部分的に開口２３２５から押し出し、紙と接触させる。キャリッジ２３をガイドスリット２１１に沿って移動させると、歯車形ブレード２４２はポスト２３３２２を中心に回転して紙の上を転がり、それにより、所望の断続的なカット方法で紙をトリミングする。
【００３５】
従って、本発明のトリミング装置は、紙に対して完全又は断続的なカットライン、又は折り畳みラインを随意に与え、その結果、当該紙を分割したり、カットラインに沿って容易に切り取れる又は折り畳めるようにすることができる。
【００３６】
以上、現在において最も実用的で好ましいと考えられる実施形態について本発明を説明してきたが、本発明は、開示された実施形態に限定されるものではなく、添付される請求項の最広義な解釈による趣旨及び範囲内における種々の変更及び同様の配置をも含むものであり、そのような変更及び同様の構造全てを包含する。
【図面の簡単な説明】
【００３７】
【図１】従来のペーパカッタの外観を示す概略図である。
【図２】本発明の一実施形態によるペーパトリマの外観を示す概略図である。
【図３】図２に示されるキャリッジの上部の内部構造を示す概略図である。
【図４】図２に示されるキャリッジの下部の内部構造を示す概略図である。
【図５Ａ】トリミング部材及びそれに対応する保持部材を例示する概略分解図である。
【図５Ｂ】トリミング部材及びそれに対応する保持部材を例示する概略分解図である。
【図５Ｃ】トリミング部材及びそれに対応する保持部材を例示する概略分解図である。
【図６】図５−Ａから図５−Ｃの３つの保持部材に夫々対応し、非選択のトリミング部材を随意に引込めるための３つの弾性部材を示す概略図である。
【符号の説明】
【００３８】
２      ペーパトリマ（トリミング装置）
２１    ベース
２２    レール
２３    キャリッジ
２４１  鋭利ブレード
２４２  歯車形ブレード
２４３  非鋭利ブレード
【図１】
0003860805.tif 000002
【図２】
0003860805.tif 000003
【図３】
0003860805.tif 000004
【図４】
0003860805.tif 000005
【図５−Ａ】
0003860805.tif 000006
【図５−Ｂ】
0003860805.tif 000007
【図５−Ｃ】
0003860805.tif 000008
【図６】
0003860805.tif 000009